(57)【要約】【課題】回転操作体を所望の位置に保持している際に回転操作体の回転位置を所望の位置にそのまま保持しながら指の位置を移動させることなく発射停止スイッチを操作できる発射操作装置を提供する。【解決手段】遊技機枠より前側に突出する形態で遊技機枠に設けられるグリップ本体２と、グリップ本体より前側で回転可能にグリップ本体に取付けられた回転操作体３と、回転操作体より前側で回転操作体の回転維持形態でグリップ本体に設けられたグリップキャップ４と、グリップ本体の周面５ａに設けられた面状の発射停止スイッチ１０とを備えたので、回転操作体を所望の位置に保持しながら指先で発射停止スイッチ１０を容易に操作できるようになる。【選択図】        図１
2005006949.tif 000002
【特許請求の範囲】
【請求項１】
遊技機枠より前側に突出する形態で遊技機枠に設けられるグリップ本体と、グリップ本体より前側で回転可能にグリップ本体に取付けられた回転操作体と、回転操作体より前側で回転操作体の回転維持形態でグリップ本体に設けられたグリップキャップと、グリップ本体の周面に設けられた面状の発射停止スイッチとを備えたことを特徴とするパチンコ機の発射操作装置。
【請求項２】
発射停止スイッチが回転操作体の回転中心を中心とする１つの円周を形成する操作面を備えたことを特徴とする請求項１記載のパチンコ機の発射操作装置。
【請求項３】
発射停止スイッチが外側導体と絶縁スペーサと内側導体との積層スイッチ構造を備えたことを特徴とする請求項１又は請求項２記載のパチンコ機の発射操作装置。
【発明の詳細な説明】
【０００１】
【発明の属する技術分野】
本発明はパチンコ機の発射操作装置に関し、特に、発射停止スイッチを備えた発射操作装置に関する。
【０００２】
【従来の技術】
遊技機枠より前側に突出するグリップ本体と、このグリップ本体の前面に設けられた回転操作体とを備え、グリップ本体の筒軸部の周囲に発射停止スイッチのスイッチ操作部を複数設けたパチンコ機の発射操作装置が知られている。これはマイクロスイッチ等で構成された発射停止スイッチが筒軸部内に設けられ、発射停止スイッチのスイッチ操作部が筒軸部に設けられた孔を介して筒軸部の外部に突出するように設けられ、スイッチ操作部を人為的に操作することにより発射停止スイッチをＯＮ，ＯＦＦ操作できるようになっている。即ち、遊技者は回転操作体を所望の回転位置に保持しながら指でスイッチ操作部を操作して遊技機の発射制御装置に発射停止を指示することが可能である（例えば、特許文献１参照）。
【０００３】
【特許文献１】
特開２００２−１４３４１０号公報
【０００４】
【発明が解決しようとする課題】
特許文献１を含む従来の一般の発射操作装置の回転操作体には戻しばねによって回転操作体を初期位置に戻そうとする力が付与されているので、遊技者が回転操作体を所望の位置に保持する必要がある。従って、特許文献１の発射操作装置では、回転操作体の指掛部に指を掛けて回転操作体を所望の位置に保持している際において指の位置に近い位置にスイッチ操作部がなければ回転操作体の回転位置を変更して指の位置を移動したりあるいは回転操作体の回転位置をそのまま保持しながら指自体を横方向に移動してスイッチ操作部を操作しなくてはならない。よって、発射停止スイッチのスイッチ操作部を片手で操作しづらいという課題があった。
本発明は回転操作体を所望の位置に保持している際に回転操作体の回転位置を所望の位置にそのまま保持しながら指の位置を移動させることなく発射停止スイッチを操作できる発射操作装置を提供することを目的とする。
【０００５】
【課題を解決するための手段】
本発明の遊技機の発射操作装置は遊技機枠より前側に突出する形態で遊技機枠に設けられるグリップ本体と、グリップ本体より前側で回転可能にグリップ本体に取付けられた回転操作体と、回転操作体より前側で回転操作体の回転維持形態でグリップ本体に設けられたグリップキャップと、グリップ本体の周面に設けられた面状の発射停止スイッチとを備えたので、回転操作体を所望の位置に保持しながら指先で発射停止スイッチを容易に操作できるようになる。
また、発射停止スイッチが回転操作体の回転中心を中心とする１つの円周を形成する操作面を備えたので、操作面のすべてが回転操作体の回転中心から同距離の所に位置することになって、操作面は回転操作体の回転板の周面のどの位置からでも操作性が同じとなり、回転操作体を回転させて所定の位置で保持させる指がどの位置にきても指の位置を横方向に移動させることなく回転操作体の回転位置を保持したまま指先で操作面を押圧して発射停止スイッチを投入できるので、操作性がよく、操作の容易な発射停止スイッチを有する発射操作装置が得られる。
また、発射停止スイッチが外側導体と絶縁スペーサと内側導体との積層スイッチ構造を備えたものとしたので、絶縁スペーサを介した動作信頼性の高いスイッチ操作部が得られる。
【０００６】
【発明の実施の形態】
図１は実施形態によるパチンコ機の発射操作装置の側面図、図２は図１のＡ−Ａ断面図、図３は発射操作装置の分解斜視図、図４は発射操作装置の断面図、図５はグリップ本体の筒軸部の周面に取付けられる面状の発射停止スイッチを示す斜視図、図６は発射停止スイッチの動作説明図である。尚、以下、図１，図３，図４，図５において図の左側を「前」として説明する。
発射操作装置１は、大別して、遊技機枠１００（図４参照）より前側に突出する形態で遊技機枠１００に設けられたグリップ本体２とグリップ本体２の前面に設けられた回転操作体３と回転操作体３の前面に設けられたグリップキャップ４とを備えて構成される。
【０００７】
グリップ本体２は遊技機枠１００の前側に突出する筒軸部５とこの筒軸部５の前端に設けられて後述するグリップ本体側取付支柱，ボリューム（可変抵抗器），戻しばね等の部品が収納された皿状の部品収納凹部６と上記筒軸部５に例えばインサート成形等で固定され部品収納凹部６の底部６ａより前側に突出する回転中心軸８とを備える。回転中心軸８は一端８ａが遊技機枠１００にねじ孔９ａ及び孔９ｂを介して止めねじ９で固定され前端（他端）８ｂ側に回転操作体３が回転可能に取付けられる。実施形態では、グリップ本体２の部品収納凹部６側に近い筒軸部５の周面５ａに面状の発射停止スイッチ１０が設けられている。
【０００８】
部品収納凹部６の底部６ａには周方向に所定角度を隔てて複数のグリップ本体側取付支柱１１が前方に延長するように設けられ、また、複数のベース取付支柱１２も前方に延長するように設けられている。ベース取付支柱１２には部品取付ベース１４が取付けられ、この部品取付ベース１４にはボリューム１５が取付けられている。部品取付ベース１４には回転中心軸８を挿通させる孔部１６とボリューム１５のボリューム軸１７を挿通させる孔１８が形成されている。ボリューム１５は部品取付ベース１４の裏側から孔１８にボリューム軸１７を挿入してナット部品１９で固定されている。ボリューム１５のボリューム軸１７の先端２０は異形に形成され、この異形先端２０側が歯車２１の異形孔２１ａに嵌め込まれることによってボリューム軸１７の先端２０側に歯車２１が取付けられている。
【０００９】
回転操作体３は円板形状の回転板２２の周縁の一部に指掛け部２３が形成されて成り、回転板２２の中央に形成された支持孔２４には前側からブッシュ２５の軸受部２６の外周部が嵌め込まれてブッシュ２５はフランジ２７の孔２７ａ及び回転板２２のねじ孔２７ｂを介して止めねじ２８で回転板２２の前面２９に取付けられている。ブッシュ２５の軸受部２６の軸受孔３０内に回転中心軸８の先端８ｂ側が挿入されかつ先端８ｂ側に止輪３１が取付けられて回転操作体３の抜け止めが施されている。回転板２２の裏面３２の支持孔２４周りには歯車３３が回転操作体３と一緒に回転するよう歯車３３の孔３２ａ及び回転板２２の図外のねじ孔を介して止めねじ３２ｂで回転板２２の裏面３２に取付けられている。回転板２２には回転中心軸８を中心とする円弧状の複数の逃孔３４が形成されている。
【００１０】
グリップキャップ４の裏側にはグリップ本体側取付支柱１１に対応するグリップキャップ側取付支柱３５が設けられている。グリップ本体側取付支柱１１には部品収納凹部６の底部６ａの裏面６ｂ側から前端に向けて延長する図外の中空孔が形成され、前端の壁３７には部品収納凹部６の底部６ａの裏面６ｂ側から中空孔に挿入される連結ねじ３８が貫通する孔３９が形成されており、壁３７の裏面に連結ねじのねじ頭４１が係止される。グリップキャップ側取付支柱３５の後端には雌ねじ部４２が形成されており、この雌ねじ部４２に連結ねじ３８の雄ねじ部４３がねじ結合される。
【００１１】
しかして、回転板２２の逃孔３４に取付支柱１１を取込んで回転操作体３と一緒に回転する歯車３３とボリューム軸１７の先端２０側に取付けられた歯車２１とを噛み合せた状態にした後に、部品収納凹部６の底部６ａの裏面６ｂ側からグリップ本体側取付支柱１１の中空孔に連結ねじ３８を挿入してグリップキャップ側取付支柱３５の雌ねじ部４２にねじ結合することにより取付支柱１１，３５が互いに連結ねじ３８で連結され、回転操作体３を回転可能な態様（回転維持形態）でグリップキャップ４がグリップ本体２に取付けられる。即ち、回転操作体３が逃孔３４により取付支柱１１をよけながら回転することにより歯車３３が歯車２１と噛み合って回転してボリューム軸１７が回転し、その回転量に応じてボリューム１５の抵抗値が変化することによって、回転操作体３の回転動作量に対応する電圧が図外の発射制御装置に出力され、これにより図外の発射機構装置のソレノイドやモータ等のアクチュエータに回転操作体３の操作量に応じた強さで球を発射させる。
【００１２】
ボリューム１５のボリューム軸１７に取付けられた歯車２１と部品取付ベース１４との間にはボリューム軸１７を囲むように戻しスプリングコイルばね４６が設けられ、戻しスプリングコイルばね４６の一端は歯車２１に、他端は部品取付ベース１４に取付けられ、この戻しスプリングコイルばね４６により回転操作体３に戻し方向の力が付与されるので、回転操作体３を回転操作した後に手を離すと戻しスプリングコイルばね４６に蓄えられた力により回転操作体３が回転して初期位置に戻る。尚、図４では、部品取付ベース１４、戻しスプリングコイルばね４６、取付支柱１１，３５、逃孔３４などは省略している。
【００１３】
本発明の実施形態ではグリップ本体２の部品収納凹部６側に近い筒軸部５の周面５ａに面状の発射停止スイッチ１０を設けて、回転操作体３を所望の位置に保持している際に回転操作体３の回転位置を所望の位置にそのまま保持しながら指の位置を移動させることなく発射停止スイッチ１０を操作できるようにした。
【００１４】
発射停止スイッチ１０は外側面状導体１０ａと内側面状導体１０ｂとが絶縁スペーサ１０ｃを介して積層されて成り、絶縁スペーサ１０ｃは外側面状導体１０ａあるいは内側面状導体１０ｂのいずれかの面上に絶縁スペーサ１０ｃが複数点在して突出するよう設けられ、この絶縁スペーサ１０ｃを介してスイッチ構造が形成されている。従って、絶縁スペーサ１０ｃを介した動作信頼性の高いスイッチ操作部を有した発射停止スイッチ１０が得られる。
発射停止スイッチ１０は帯状に形成され、部品収納凹部６側に近い筒軸部５の周面５ａに上記帯状の発射停止スイッチ１０が嵌まり込む凹部５０が形成されていて、発射停止スイッチ１０はこの凹部５０に嵌め込まれて筒軸部５の周面５ａを取り巻くように取付けられている。即ち、回転操作体３の回転中心軸８を中心とする１つの円周面を形成する外側面状導体１０ａの外面１０ｆが操作面として機能する。従って、操作面としての外側面状導体１０ａの外面１０ｆのすべてが回転中心軸８から同距離の所に位置することになるので、操作面は回転操作体３の回転板２２の周面のどの位置からでも操作性が同じとなり、回転操作体３を回転させて所定の位置で保持させる指がどの位置にきても指の位置を横方向に移動させることなく指先を若干曲げるだけで回転操作体３の回転位置を保持したまま操作面を押圧して発射停止スイッチ１０を投入できるので、操作性がよく、操作の容易な発射停止スイッチ１０を有する発射操作装置１が得られる。
筒軸部５の下方の凹部５０には発射停止スイッチ１０の両端１０ｅ，１０ｅを筒軸部５内に挿入するための挿入孔５１が形成されており、この挿入孔５１内に発射停止スイッチ１０の両端１０ｅ，１０ｅが挿入されて接着剤などで筒軸部５に固定されている。
この発射停止スイッチ１０の外側面状導体１０ａと内側面状導体１０ｂはそれぞれ信号線５２，５３を介して図外の発射制御装置に接続されており、外側面状導体１０ａには微少電圧が印加されている。そして、外側面状導体１０ａと内側面状導体１０ｂとが接触していない時には抵抗値は大であり（図６（ａ）の状態）、指先Ｆで操作面を押圧して外側面状導体１０ａと内側面状導体１０ｂとを接触させた時は抵抗値が小さくなる（図６（ｂ）の状態）。この抵抗値が所定のしきい値より小さくなったことを発射制御装置が検出することにより発射制御装置はソレノイドやモータ等のアクチュエータを制御して球の発射を停止する。尚、図１に示すように、発射停止スイッチ１０の信号線５２，５３は筒軸部５の筒内及び遊技機枠１００に形成された配線通し孔７ａを介して発射制御装置に接続され、また、ボリューム１５の信号線１５ａも配線通し孔７ａ，７ｂを介して発射制御装置に接続されている。
【００１５】
尚、実施形態では、回転操作体３の回転中心軸８を中心とする１つの円周を形成する操作面を有する発射停止スイッチ１０としたが、回転操作体３の回転により指が移動する最大角度範囲に対応させて筒軸部５の周面５ａに操作面を設けるようにしてもよい。
【図面の簡単な説明】
【図１】本発明の実施形態によるパチンコ機の発射操作装置の側面図。
【図２】図１のＡ−Ａ断面図。
【図３】発射操作装置の分解斜視図。
【図４】発射操作装置の断面図。
【図５】グリップ本体の筒軸部の周面に取付けられる面状の発射停止スイッチを示す斜視図。
【図６】発射停止スイッチの動作説明図。
【符号の説明】
１  発射操作装置、２  グリップ本体、３  回転操作体、
４  グリップキャップ、５  筒軸部、
５ａ  筒軸部の周面（グリップ本体の周面）、８  回転中心軸、
１０  発射停止スイッチ、１０ａ  外側面状導体、１０ｂ  内側面状導体、
１０ｃ  絶縁スペーサ、１０ｆ  外側面状導体の外面（操作面）。
【図１】
2005006949.tif 000003
【図２】
2005006949.tif 000004
【図３】
2005006949.tif 000005
【図４】
2005006949.tif 000006
【図５】
2005006949.tif 000007
【図６】
2005006949.tif 000008